(57)【要約】【課題】輝度斑の発生を抑制できる照明装置および光拡散部材を提供する。【解決手段】照明装置１は、基板１１と、発光素子１２と、透光性を有する板状の基材から中空の錘状に形成され、基板１１における発光素子１２が実装される面側において発光素子１２を覆うように基板１１に配設されるとともに、発光素子１２から放射される光を拡散させる光拡散部材５０と、を備える。光拡散部材５０は、中空の三角錐状であり頂部に孔が形成された主部５００と、主部５００と連続一体に設けられ、主部５００の外側面に沿って頂部ＴＰ１に向かう方向へ延出するとともに、少なくとも一部が主部５００の頂部ＴＰ１に形成された孔に対向配置される延出部５２４と、を有する。【選択図】図１
2020119683.tif 000002
【特許請求の範囲】
【請求項１】
基板と、
前記基板に実装された少なくとも１つの発光素子と、
透光性を有する板状の基材から中空の錘状に形成され、前記基板における前記少なくとも１つの発光素子が実装される面側において前記少なくとも１つの発光素子を覆うように前記基板に配設されるとともに、前記少なくとも１つの発光素子から放射される光を拡散させる光拡散部材と、を備える、
照明装置。
【請求項２】
前記光拡散部材は、
中空の錐状であり頂部に孔が形成された主部と、
前記主部と連続一体に設けられ、前記主部の外側面に沿って前記頂部に向かう方向へ延出するとともに、少なくとも一部が前記孔に対向配置される延出部と、を有する、
請求項１に記載の照明装置。
【請求項３】
前記主部は、
透光性材料から平面視二等辺三角形の板状に形成された少なくとも１つの第１拡散板と、
透光性材料から形成され前記第１拡散板と同一の形状であるとともに、長さの等しい２辺のうちの一方の辺において前記第１拡散板の長さの等しい２辺のうちのいずれか一方の辺に連続する第２拡散板と、
前記第２拡散板の長さの等しい２辺のうちの他方の辺における少なくとも頂点側の端部から前記他方の辺に直交する方向へ延出する第１延出片と、
透光性材料から形成され前記第１拡散板と同一の形状であるとともに、長さの等しい２辺のうちの一方の辺において前記第１拡散板の長さの等しい２辺のうちのいずれか一方の辺に連続する第３拡散板と、
前記第３拡散板の長さの等しい２辺のうちの他方の辺における頂点側において前記第１延出片に係合する位置から前記他方の辺に直交する方向へ延出する第２延出片と、を有し、
前記延出部は、
前記第１延出片の前記頂点側の端部から前記第２拡散板の長さの等しい２辺のうちの前記第１延出片が延出する辺に沿って張り出している、
請求項２に記載の照明装置。
【請求項４】
前記延出部の前記第２拡散板の長さの等しい２辺のうちの前記第１延出片が延出する１辺に沿った方向における長さは、前記少なくとも１つの発光素子の光放射部分と前記光拡散部材の前記頂部とを結ぶ仮想直線と交差する長さに設定されている、
請求項３に記載の照明装置。
【請求項５】
前記第１拡散板は、平面視正三角形の板状であり、１つだけ存在し、
前記第２拡散板は、平面視正三角形の板状であり、２辺のうちの一方の辺において前記第１拡散板の２辺のうちのいずれか一方の辺に連続し、
前記第３拡散板は、平面視正三角形の板状であり、２辺のうちの一方の辺において前記第１拡散板の２辺のうちの他方の１辺に連続している、
請求項３または４に記載の照明装置。
【請求項６】
透光性を有する板状の基材から中空の錘状に形成された主部を備える、
光拡散部材。
【請求項７】
前記主部は、頂部に孔が形成され、
前記主部と連続一体に設けられ、前記主部の外側面に沿って前記頂部に向かう方向へ延出するとともに、少なくとも一部が前記孔に対向配置される延出部を更に備える、
請求項６に記載の光拡散部材。
【請求項８】
前記主部は、
透光性材料から平面視二等辺三角形の板状に形成された少なくとも１つの第１拡散板と、
透光性材料から形成され前記第１拡散板と同一の形状であるとともに、長さの等しい２辺のうちの一方の辺において前記第１拡散板の長さの等しい２辺のうちのいずれか一方の辺に連続する第２拡散板と、
前記第２拡散板の長さの等しい２辺のうちの他方の辺における少なくとも頂点側の端部から前記他方の辺に直交する方向へ延出する第１延出片と、
透光性材料から形成され前記第１拡散板と同一の形状であるとともに、長さの等しい２辺のうちの一方の辺において前記第１拡散板の長さの等しい２辺のうちのいずれか一方の辺に連続する第３拡散板と、
前記第３拡散板の長さの等しい２辺のうちの他方の辺における頂点側において前記第１延出片に係合する位置から前記他方の辺に直交する方向へ延出する第２延出片と、を有し、
前記延出部は、
前記第１延出片の前記頂点側の端部から前記第２拡散板の長さの等しい２辺のうちの前記第１延出片が延出する辺に沿って張り出している、
請求項７に記載の光拡散部材。
【発明の詳細な説明】
【技術分野】
【０００１】
本発明は、照明装置および光拡散部材に関する。
【背景技術】
【０００２】
ＬＥＤ（Light Emitting Diode）のような発光素子を有する光源と、光源が接続されるソケットを有する器具本体と、光源を内包するように器具本体に取り付けられるグローブと、拡散透過体と、を備える照明器具が提案されている（例えば特許文献１参照）。ここで、拡散透過体は、筒状であり、グローブの内側の領域における光源とグローブの内壁との間に配設され、光源から放射される光を拡散してグローブの内壁側へ透過させる。この照明器具は、この拡散透過体を備えることより、光源の点灯時における照明器具の照射対象面における輝度斑が低減されるというものである。
【先行技術文献】
【特許文献】
【０００３】
【特許文献１】特開２０１１−１０８５８７号公報
【発明の概要】
【発明が解決しようとする課題】
【０００４】
しかしながら、特許文献１に記載された照明器具では、例えば光源の側方に端子台のような部品が配設される場合、光源からこの部品へ向かう方向へ放射された光によりこの部品の影が側方へ投影されてしまい、光源の点灯時において照明器具の照射対象領域全体における輝度斑が大きくなる虞がある。
【０００５】
本発明は上記事由に鑑みてなされたものであり、輝度斑の発生を抑制できる照明装置および光拡散部材を提供することを目的とする。
【課題を解決するための手段】
【０００６】
上記目的を達成するために、本発明に係る照明装置は、
基板と、
前記基板に実装された少なくとも１つの発光素子と、
透光性を有する板状の基材から中空の錘状に形成され、前記基板における前記少なくとも１つの発光素子が実装される面側において前記少なくとも１つの発光素子を覆うように前記基板に配設されるとともに、前記少なくとも１つの発光素子から放射される光を拡散させる光拡散部材と、を備える。
【発明の効果】
【０００７】
本発明によれば、光拡散部材が、透光性を有する板状の基材から中空の錘状に形成され、基板における少なくとも１つの発光素子が実装される面側において少なくとも１つの発光素子を覆うように基板に配設される。これにより、少なくとも１つの発光素子から放射された光が光拡散部材により光拡散部材の頂部へ向かう方向を含めて全方位へ拡散される。従って、例えば基板上における少なくとも１つの発光素子の側方に端子台のような部品が配置されている場合、この部品の影の原因となる光も光拡散部材により光拡散部材の頂部へ向かう方向へ拡散され、その拡散された光が影の部分に照射されることにより、その影が弱まる効果が生じる。それ故、照明装置の点灯時における照明装置の照射対象領域全体における輝度斑の発生が抑制されるという利点がある。
【図面の簡単な説明】
【０００８】
【図１】本発明の実施の形態に係る照明装置の分解斜視図である。
【図２】（Ａ）は実施の形態に係る照明装置の断面図であり、（Ｂ）は（Ａ）のＡ−Ａ線における断面矢視図である。
【図３】実施の形態に係る光拡散部材の斜視図である。
【図４】実施の形態に係る光拡散部材の基となる基材の平面図である。
【図５】比較例に係る照明装置の配光特性を説明するための概略図である。
【図６】実施の形態に係る照明装置の配光特性を説明するための概略図である。
【図７】変形例に係る光拡散部材の斜視図である。
【発明を実施するための形態】
【０００９】
以下、本発明の実施の形態に係る照明装置について図面を参照しながら説明する。本実施の形態に係る照明装置は、建物の天井や壁等に取り付けられて使用されるものであり、カバーの内側に光拡散部材を配設することにより、輝度斑の発生を抑制するものである。
【００１０】
図１に示すように、照明装置１は、光源ユニット１０と、ベース部材２０と、カバー３０と、背面カバー４０と、光拡散部材５０と、を備える。また、照明装置１は、他に、例えばＡＣ−ＤＣコンバータおよびＤＣ−ＤＣコンバータを有し、交流電源から供給される交流を直流に変換してから降圧して光源ユニット１０へ出力する点灯回路ユニット（図示せず）も備える。この照明装置１は、例えばベース部材２０が造営材に取り付けられた状態で使用される。光源ユニット１０は、基板１１と、基板１１に実装された３つの発光素子１２と、基板１１に配設された端子台１３と、を有する。基板１１は、例えば導体パターンが形成された矩形板状のプリント配線基板である。基板１１における光拡散部材５０が配設される領域の２箇所は、基板１１の厚さ方向に貫通する貫通孔１１ａが穿設されている。また、図２（Ａ）に示すように、基板１１の短手方向における両端部には、基板１１をベース部材２０に固定するための平面視矩形状の切欠部１１ｂが形成されている。発光素子１２は、例えばＬＥＤ（Light Emitting Diode）素子である。３つの発光素子１２は、それぞれ基板１１を平面視したときの仮想正三角形の３つの頂点に配設されている。端子台１３には、点灯回路ユニットから導出された電源線が接続される。
【００１１】
図１に戻って、ベース部材２０は、樹脂から形成され、本体部２１と、本体部２１の外周部に位置する枠部２２と、本体部２１と枠部２２との間に介在し本体部２１と枠部２２とを連結する連結部２３と、を有する。枠部２２は、円筒状の筒状部２２ａと、円環状であり内側の周縁において筒状部２２ａに連続する環状部２２ｂと、円筒状であり環状部２２ｂの外側の周縁において連続する筒状部２２ｃと、を有する。また、筒状部２２ａの一部には、筒状部２２ａの筒軸方向に直交する方向へ突出し＋Ｚ方向側の底壁２２１ｂに貫通孔２２１ａが貫設された突出部２２１が配設されている。貫通孔２２１ａには、螺子２３４の軸部が挿通される。そして、螺子２３４は、その頭部が底壁２２１ｂの＋Ｚ方向側における貫通孔２２１ａの外周部に当接した状態で配置される。また、螺子２３４の軸部には、ワッシャ２３３とリング２３２と電源線を束ねるためのロック片２３１とが挿通される。ナット２３５は、螺子２３４の軸部にワッシャ２３３、リング２３２およびロック片２３１が挿通された状態で、螺子２３４の軸部に螺合している。リング２３２は、エラストマのような弾性部材から形成されている。このため、ナット２３５を螺子２３４に締め付けることによりロック片２３１がリング２３２の復元力によりワッシャ２３３とナット２３５との間で堅固に挟持され、ロック片２３１の回動が規制される。
【００１２】
本体部２１は、円筒状の側壁２１ｂと、側壁２１ｂの内側に設けられた底壁２１ａと、を有する。側壁２１ｂの外壁には、カバー３０をベース部材２０に係合するための係合突起２１２が側壁２１ｂの周方向に沿って延在するように突設されている。また、側壁２１ｂにおける係合突起２１２の基端側の−Ｚ方向側に隣接する位置には、係合孔２１５が穿設されている。底壁２１ａは、図２（Ｂ）に示すように、第１平坦部２１１ａと、第２平坦部２１３ａと、湾曲部２１２ａと、を有する。第１平坦部２１１ａは、側壁２１ｂの内側における＋Ｚ方向側に位置し、＋Ｙ方向側の端部に＋Ｚ方向に突出し先端部で光源ユニット１０の基板１１を支持するリブ２１１ｂが設けられている。また、図１に示すように、リブ２１１ｂは、３つ設けられており、３つのリブ２１１ｂそれぞれの先端部における＋Ｙ方向側が、長尺の梁２１１ｃに結合している。更に、梁２１１ｃの両端部と側壁２１ｂの内側との間には、基板１１の位置決めを行うための位置決め片２１１ｄが介在している。また、第１平坦部２１１ａにおける＋Ｙ方向側の端縁と側壁２１ｂとの間には、点灯回路ユニットから導出された電源線を光源ユニット１０の端子台１３へ引き回すための開口部２１４ａが形成されている。第２平坦部２１３ａは、側壁２１ｂの内側に位置し、側壁２１ｂの−Ｚ方向側の端部において側壁２１ｂに連続している。湾曲部２１２ａは、第１平坦部２１１ａの−Ｙ方向側の端部と第２平坦部２１３ａの＋Ｙ方向側の端部とに連続し、−Ｚ方向側に凸となるように湾曲している。また、湾曲部２１２ａにおける＋Ｚ方向側には、＋Ｚ方向に突出し先端部で基板１１を支持するリブ２１１ｅが設けられている。また、リブ２１１ｅの先端部には、基板１１の切欠部１１ｂに係合する係合爪２１３が設けられている。そして、基板１１は、リブ２１１ｂおよびリブ２１１ｅの先端部に載置され、図２（Ａ）に示すように、その＋Ｙ方向側の端部に位置決め片２１１ｄが当接するとともに、基板１１における切欠部１１ｂの外周部に係合爪２１３が係合した状態で、ベース部材２０に固定される。
【００１３】
図１に戻って、カバー３０は、透光性を有する樹脂から形成され、中空の半球状の形状を有する。カバー３０の内壁には、図２（Ｂ）に示すように、カバー３０の頂点から周縁に向かって放射状に延在し光源ユニット１０から光拡散部材５０を介して入射する光を散乱するための突条部３１１が形成されている。カバー３０の周縁における複数箇所には、図１に示すように、カバー３０をベース部材２０に係合するための係合爪３２１が突設されている。カバー３０は、その係合爪３２１の先端部をベース部材２０の側壁２１ｂの係合突起２１２の−Ｚ方向側に係止させた状態で回転させると、係合爪３２１の先端部が側壁２１ｂに穿設された係合孔２１５に嵌入してベース部材２０に固定される。
【００１４】
背面カバー４０は、エラストマのような弾性部材から形成され、平面視円形の主片４１と、主片４１の４箇所から突出する舌片４２と、を有する。また、主片４１には、前述の点灯回路ユニットから導出される電源線が挿通可能なスリット４１１、４１２、４１３が形成されている。
【００１５】
光拡散部材５０は、透光性を有する板状の基材から中空の三角錘状であり、基板１１における３つの発光素子１２が実装される面側において３つの発光素子１２を覆うように基板１１に配設され、３つの発光素子１２から放射される光を拡散させる。前述の基材は、例えば透光性を有する樹脂のような透光性材料（例えば透光性を有するポリエステルフィルム）から形成されている。また、光拡散部材５０は、中空の三角錘状であり頂部に孔（図示せず）が形成された主部５００と、主部５００と連続一体に設けられ、主部５００の外側面に沿って主部５００の頂部ＴＰ１に向かう方向へ延出するとともに、一部が主部５００の頂部ＴＰ１に形成された孔に対向配置される延出部５２４と、を有する。主部５００は、図３に示すように、平面視正三角形の板状に形成された第１拡散板５１と、第１拡散板５１と同一の形状、即ち、平面視正三角形の板状に形成された第２拡散板５２および第３拡散板５３と、を有する。第２拡散板５２は、その２辺のうちの一方の辺において第１拡散板５１の１辺に連続している。第３拡散板５３は、その２辺のうちの一方において第１拡散板５１における第２拡散板５２が連続する辺とは異なる片に連続している。
【００１６】
また、主部５００は、第２拡散板５２の２辺のうちの第１拡散板５１に連続する辺とは異なる辺からその辺に直交する方向へ延出する２つの延出片５２２、５２３を有する。延出片５２２は、第１拡散板５１に連続する辺とは異なる辺における頂部ＴＰ１側の端部から延出する第１延出片である。また、延出片５２３は、第１拡散板５１に連続する辺とは異なる辺における頂部ＴＰ１側とは反対側の端部から延出している。更に、主部５００は、第３拡散板５３の２辺のうちの第１拡散板５１に連続する辺とは異なる辺からその辺に直交する方向へ延出する１つの延出片５３２を有する。延出片５３２は、第１拡散板５１に連続する辺とは異なる辺における頂部ＴＰ１側において延出片５２２に係合する位置からその辺に直交する方向へ延出する第２延出片である。
【００１７】
延出部５２４は、延出片５２２と連続一体に形成され、延出片５２２の頂部ＴＰ１側の端部から第２拡散板５２の延出片５２２が延出する辺に沿って張り出している。ここで、図４に示す延出部５２４の第２拡散板５２の延出片５２２、５２３が延出する１辺に沿った方向における長さＷ１は、発光素子１２の光放射部分と光拡散部材５０の頂部ＴＰ１とを結ぶ仮想直線と交差する長さに設定されている。また、延出部５２４の長さと形状は、光拡散部材５０の組み立て易さ或いは頂部ＴＰ１の尖度を最適にすることを考慮して設定される。
【００１８】
更に、光拡散部材５０は、第１拡散板５１の頂部ＴＰ１に対向する辺に連続する舌片５１１と、第２拡散板５２の頂部ＴＰ１に対向する辺に連続する舌片５２１と、第３拡散板５３の頂部ＴＰ１に対向する辺に連続する舌片５３１と、を有する。舌片５２１、５３１には、それぞれ、貫通孔５２１ａ、５３１ａが貫設されている。光拡散部材５０は、図１に示すように、貫通孔５２１ａ、５３１ａに挿通されたリベット６１の先端部を、基板１１に貫設された貫通孔１１ａに嵌入させることにより、基板１１に固定される。
【００１９】
前述のように、光拡散部材５０は、透光性を有する第１拡散板５１、第２拡散板５２および第３拡散板５３から中空の錘状に形成されている。そして、３つの発光素子１２から放射された光が、光拡散部材５０の第１拡散板５１、第２拡散板５２および第３拡散板５３により＋Ｚ方向へ拡散される。これに伴い、基板１１上における３つの発光素子１２の側方に配置された端子台１３の影の部分にも＋Ｚ方向へ拡散された光が照射されることになる。
【００２０】
次に、本実施の形態に係る光拡散部材５０の組み立て方法について図４を参照しながら説明する。図４に示すように、光拡散部材５０の基となる基材１０５０は、透光性を有する樹脂から形成された板材を打ち抜くことにより作製されたものである。まず、基材１０５０を、図４の二点鎖線ＶＦＬ１、ＶＦＬ２、ＶＦＬ３で示す線に沿って、舌片５１１、５２１、５３１に相当する部分を紙面の手前側へ折り返すように谷折りする。次に、基材１０５０を、図４の一点鎖線ＭＦＬ１、ＭＦＬ２で示す線に沿って、山折りする。そして、基材１０５０における、第２拡散板５２の延出片５２２、５２３が延出する１辺に相当する部分と、第３拡散板５３の延出片５３２が延出する１辺に相当する部分と、を互いに当接させる。このとき、延出片５３２を２つの延出片５２２、５２３の間に係合させる。このようにして、三角錘状の主部５００と延出部５２４とを有する光拡散部材５０が完成する。このように、本実施の形態に係る光拡散部材５０は、射出成型法を用いず且つ接着材または螺子のような部品を使用せずに、基材１０５０から簡単に組み立てられるというものである。
【００２１】
次に、本実施の形態に係る照明装置１の配光特性について比較例の配光特性と比較しながら説明する。例えば図５に示すように、比較例に係る照明装置９００１は、透光性材料から三角錘状に形成され頂部ＴＰ９に孔Ｈ９が形成された光拡散部材９０５０を備える。なお、図５において実施の形態と同様の構成については図２（Ｂ）と同一の符号を付している。比較例に係る照明装置９００１の場合、光拡散部材９０５０の頂部ＴＰ９に形成された孔Ｈ９がいわゆるピンホールとして機能し、照明装置９００１の照射対象面Ｓ１において３つの発光素子１２の結像部分ＩＭ１が明るくその他の部分が比較的暗くなるような輝度斑が発生してしまう。これに対して、本実施の形態に係る照明装置１では、図６に示すように、光拡散部材５０の頂部ＴＰ１に形成された孔Ｈ１から出射した光が延出部５２４に当たって拡散される。このため、照明装置１の照射対象面Ｓ１における輝度斑が抑制される。
【００２２】
本実施の形態に係る光拡散部材５０は、透光性を有する板状の基材１０５０から中空の三角錘状に形成され、基板１１における３つの発光素子１２が実装される面側において３つの発光素子１２を覆うように基板に配設される。これにより、３つの発光素子１２から放射された光が光拡散部材５０により＋Ｚ方向へ拡散されるので、図１に示すように、基板１１上における３つの発光素子１２の側方に配設された端子台１３の影の原因となる光も光拡散部材５０により＋Ｚ方向へ拡散され、その光が前述の影となる部分に照射されることにより、前述の影が弱まる効果が生じる。従って、照明装置１の点灯時における照明装置１の照射対象領域全体における輝度斑の発生が抑制されるという利点がある。
【００２３】
ところで、本実施の形態に係る光拡散部材５０は、前述のように１つの基材１０５０を折ることにより作製されるので、第１拡散板５１、第２拡散板５２および第３拡散板５３の頂部ＴＰ１側に孔が形成され易い。これに対して、本実施の形態に係る照明装置１によれば、光拡散部材５０が、三角錐状であり頂部に孔が形成された主部５００と、主部５００の延出片５２２と連続一体に設けられ、主部５００の外側面に沿って頂部ＴＰ１に向かう方向へ延出するとともに、一部が主部５００の頂部ＴＰ１に形成された孔に対向配置される延出部５２４と、を有する。これにより、第１拡散板５１、第２拡散板５２および第３拡散板５３の頂部ＴＰ１側が延出部５２４で覆われるので、発光素子１２から放射され第１拡散板５１、第２拡散板５２および第３拡散板５３の頂部ＴＰ１側に形成された孔から漏れ出た光が延出部５２４により拡散される。従って、第１拡散板５１、第２拡散板５２および第３拡散板５３の頂部ＴＰ１側に形成された孔から光が漏れ出ることに起因した輝度斑の発生が抑制できる。
【００２４】
また、本実施の形態に係る光拡散部材５０では、第２拡散板５２が延出片５２２、５２３を有し、第３拡散板５３が延出片５３２を有する。これにより、第２拡散板５２と第３拡散板５３との境目部分から光拡散部材５０の外側へ漏れ出す光が、延出片５２２、５２３、５３２により拡散される。これにより、第２拡散板５２と第３拡散板５３との境目部分から光拡散部材５０の外側へ漏れ出す光に起因した照明装置１の照射対象領域における輝度斑の発生が抑制されるという利点がある。
【００２５】
また、本実施の形態に係る延出部５２４の、第２拡散板５２の延出片５２２、５２３が延出する１辺に沿った方向における長さＷ１が、発光素子１２の光放射部分と光拡散部材５０の頂部ＴＰ１とを結ぶ仮想直線と交差する長さに設定されている。これにより、第１拡散板５１、第２拡散板５２および第３拡散板５３の頂部ＴＰ１側に形成された孔から漏れ出た光が延出部５２４に入射し易くなる。従って、第１拡散板５１、第２拡散板５２および第３拡散板５３の頂部ＴＰ１側に形成された孔から光が漏れ出ることに起因した輝度斑の発生が抑制できる。
【００２６】
更に、本実施の形態に係る第１拡散板５１、第２光拡散辺５２および第３光拡散辺５３は、いずれも平面視正三角形の板状である。そして、第２拡散板５２は、２辺のうちの一方の辺において第１拡散板５１の２辺のうちのいずれか一方の辺に連続し、第３拡散板５３は、２辺のうちの一方の辺において第１拡散板５１の２辺のうちの他方の１辺に連続している。これにより、図４に示すように、基材１０５０の形状を、延出片５２２、５２３が延出する辺と延出片５３２が延出する辺とが一直線に並ぶ形状に設定することができる。従って、光拡散部材５０の基となる基材１０５０の作製が容易になるという利点がある。
【００２７】
以上、本発明の実施の形態について説明したが、本発明は前述の実施の形態の構成に限定されるものではない。例えば、第１拡散板を２以上有する光拡散部材を備えるものであってもよい。即ち、光拡散部材は、四角錘状または多角錘状の主部を有するものであってもよい。この場合、光拡散部材は、平面視二等辺三角形の板状に形成された２以上の第１拡散板と、第１拡散板と同一の形状を有する第２拡散板および第３拡散板と、を有するものとすればよい。ここで、第２拡散板は、長さの等しい２辺のうちの一方の辺において第１拡散板の長さの等しい２辺のうちのいずれか一方の辺に連続し、第３拡散板は、長さの等しい２辺のうちの一方において第１拡散板の長さの等しい２辺のうちのいずれか一方の辺に連続するものとすればよい。
【００２８】
また、図７に示すように、光拡散部材２０５０が、円錐状の主部２５００を有するものであってもよい。なお、図７において実施の形態と同様の構成については図３と同一の符号を付している。
【００２９】
実施の形態では、発光素子１２が、ＬＥＤである例について説明したが、これに限定されず、例えば発光素子１２が有機ＥＬ（Electro Luminescence）素子のような他の種類の発光素子であってもよい。
【００３０】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００３１】
本発明は、天井材や壁材等の造営材に取り付けられる照明装置に好適である。
【符号の説明】
【００３２】
１：照明装置、１０：光源ユニット、１１：基板、１１ａ，２２１ａ，５２１ａ，５３１ａ：貫通孔、１１ｂ：切欠部、１２：発光素子、１３：端子台、２０：ベース部材、２１：本体部、２１ａ，２２１ｂ：底壁、２１ｂ：側壁、２２：枠部、２２ａ，２２ｃ：筒状部、２２ｂ：環状部、２３：連結部、３０：カバー、４０：背面カバー、４１：主片、４２，５１１，５２１，５３１：舌片、５０，２０５０：光拡散部材、５１：第１拡散板、５２：第２拡散板、５３：第３拡散板、６１：リベット、２１１ａ：第１平坦部、２１１ｂ：リブ、２１１ｃ：梁、２１１ｄ：位置決め片、２１１ｅ：リブ、２１２：係合突起、２１３，３２１：係合爪、２１２ａ：湾曲部、２１３ａ：第２平坦部、２１４ａ：開口部、２１５：係合孔、２２１：突出部、２３１：ロック片、２３２：リング、２３３：ワッシャ、２３４：螺子、２３５：ナット、３１１：突条部、４１１，４１２，４１３：スリット、５００，２５００：主部、５２２，５２３，５３２：延出片、５２４：延出部、１０５０：基材、Ｈ１，Ｈ９：孔、ＩＭ１：結像部分、Ｓ１：照射対象面、ＴＰ１，ＴＰ９：頂部
【図１】
2020119683.tif 000003
【図２】
2020119683.tif 000004
【図３】
2020119683.tif 000005
【図４】
2020119683.tif 000006
【図５】
2020119683.tif 000007
【図６】
2020119683.tif 000008
【図７】
2020119683.tif 000009